(57)【要約】      （修正有）【課題】肌にも優しく柔らかく温みがあり長時間に渡って装着していても、肌が被ることのない磁石背髄活性治療器具を提供する。【解決手段】本体に、硬質スポンヂに穴を開けて磁石を固定させて柔らかい布で包み接着し、磁石を患部に当てるように配置接着して構成される。【効果】背髄の両側に磁石を装着することにより、周囲の血行を良くして筋肉のコリをほぐしてくれるので、違和感を覚えることもなく、背髄を活性させて快報に向わせることを特徴とする。【選択図】図１
2005111237.tif 000002
【特許請求の範囲】
【請求項１】
磁石背髄活性治療器具。本体に使用する特殊加工ゴムとは、大変強靭で伸縮のおさえがききます、肌にも優しく柔らかく温味があり長期間に渡って装着していても、肌が被ることもなく治療器具の本体として使用するには大変貴重な製品です。市販名ユーカスと称します。
本体ユーカスに、長さ４７０ｍｍ最大巾３００ｍｍ厚さ１．５ｍｍを図１、の如く抜き取る、図２、の磁石円柱型上部円型厚さ５ｍｍ底辺２０ｍｍを。図４、の硬質スポンヂ長さ３０ｍｍ巾３０ｍｍ厚さ４ｍｍに直経２０ｍｍの穴を開け、図２、の磁石を埋め込み接着したのち肌に優しい柔らかい丈夫な布に包み再び接着して、更らに底辺に布を１枚接着したのち、本体ユーカス図２、４ヶ処に接着する、図３、磁石円柱型上部円型厚さ５ｍｍ底辺１５ｍｍを、図５、の硬質スポンヂ長さ２２５ｍｍ巾２５ｍｍ厚さ４ｍｍに直経１５ｍｍの穴を５ヶ処開けて、磁石を埋め込み接着し肌に優しい柔らかい丈夫な布に包み再び接着した上に、更らに底辺に布を１枚接着して、図６、の如く２列にユーカスに接着する。図７、磁石が背髄に密着させるためのバンド。図８、磁石を背髄に密着させるためのバンド肩より腹部に至る市販のアジスターを利用する。図９、マジックテープ。図１０、本体ユーカスの渕取りバヤス布を使用して伸縮模様ぬいとする。
これを背髄に装着することで周囲の血行を良くして、筋肉のコリをほぐしてくれるので、違和感を覚えることもなくユーカスの伸縮のおさえの力を活用して押圧することによりその効果は更に大なるものとなります。
【発明の詳細な説明】
［技術分野］
【０１０１】  本発明は、本体特殊加工ゴムとは大変強靭で伸縮のおさえがききます、肌に優しく柔らかく温味があり長期間に渡って装着していても、肌が被ることもなく治療器具の本体としては大変貴重な製品です。市販名ユーカスと称します。以下ユーカスと称します。ユーカスを長さ４７０ｍｍ最大巾３００ｍｍ厚さ１．５ｍｍ図１の如く抜き取り、図２、の磁石円柱型上部円型厚さ５ｍｍ底辺２０ｍｍを。図４、の硬質スポンヂ長さ３０ｍｍ巾３０ｍｍ厚さ４ｍｍに直経２０ｍｍの穴を開け、図２、の磁石を埋め込み接着したのち肌に優しい柔らかい丈夫な布に包み再び接着して、更らに底辺に布を１枚接着したのち、本体ユーカス図２、４ヶ処に接着する、図３、磁石円柱型上部円柱厚さ５ｍｍ底辺１５ｍｍを、図５、の硬質スポンヂ長さ２２５ｍｍ巾２５ｍｍ厚さ４ｍｍに直経１５ｍｍの穴を５ヶ処開けて、図３、の磁石を埋め込み接着し肌に優しい柔らかい丈夫な布に包み再び接着した上に、更らに底辺に布を１枚持着して、図６、の如く２列に本体ユーカスに接着する。図７、磁石を背髄に密着させるためのバンド図８、磁石を背髄に密着させるためのバンド肩より腹部に至る市販のアジスターを利用し先端にマジックテープを接着する。図９、マジックテープ。図１０、本体ユーカスの渕取りバヤス布を使用し伸縮模様ぬいとする。
［背景技術］
【０１０２】  従来磁石背髄活性治療器具は、市販されていないと存じます、画期的な発想により生み出された発明と自負しております。類似品も出回っていないと存じますので比較が出来ないのです
［発明の開示］
［発明が解決しようとする課題］
【０１０３】  本発明は、本体ユーカスに磁石を接着して、背髄に装着することにより、周囲の血行を良くして筋肉のコリをほぐします、尚ほユーカスの伸縮のおさえの力を活用し患部を押圧することにより、大いなる効果を上げることが出来る。尚ほ図１、の磁石の配置は、正座しているときも歩行時や激しい運動時にも磁石が患部に密着出来るように、考案したものである。その効果の大なるを開発しようとするものである。
［課題を解決するための手段］
【０１０４】  いまその課題を図面に追いながら説明すれば。
本体ユーカスに、長さ４７０ｍｍ最大巾３００ｍｍ厚さ１．５ｍｍを図１、の如く抜き取る、図２、の磁石円柱型上部円型厚さ５ｍｍ底辺２０ｍｍを。図４、の硬質スポンヂ長さ３０ｍｍ巾３０ｍｍ厚さ４ｍｍに直経２０ｍｍの穴を開け、図２、の磁石を埋め込み接着したのち肌に優しい柔らかい丈夫な布に包み再び接着して、更らに底辺に布を１枚接着したのち、本体ユーカス図２、４ヶ処に接着する、図３、磁石円柱型厚さ５ｍｍ底辺１５ｍｍを、図５、の硬質スポンヂ長さ２２５ｍｍ巾２５ｍｍ厚さ４ｍｍに直経１５ｍｍの穴を５ヶ処開けて、磁石を埋め込み接着し肌に優しい柔らかい丈夫な布に包み再び接着した上に、更に底辺に布を１枚接着して、図６、の如く２列に本体ユーカスに接着する。図７、磁石を背髄に密着させるためのバンド。図８、磁石を背髄に密着させるためのバンド肩より腹部に至る市販のアジスターを利用する。図９、マジックテープ。図１０、本体ユーカスの渕取りバヤス布を使用して伸縮模様ぬいとする。
背髄活性治療器具である。
［発明の効果］
【０１０５】  本発明は以上のような構造であるから、これを装着することにより、磁石で背髄の周囲の血行を良くして筋肉のコリをほぐしますので、痛みや苦しみを柔らげると同時に、正座しているときも歩行時にも又激しい運動時にも、磁石が患部に密着しているので違和感を覚える事もなく、ユーカスの伸縮のおさえの力を活用することにより、効果は大なるものとなります。
［発明を実施するための最良の型態］
【０１０６】  以下本発明の実施の型態について説明する。
本体ユーカスに、長さ４７０ｍｍ最大巾３００ｍｍ厚さ１．５ｍｍを図１、の如く抜き取る、図２の磁石円柱型上部円型厚さ５ｍｍ底辺２０ｍｍを。図４、の硬質スポンヂ長さ３０ｍｍ巾３０ｍｍ厚さ４ｍｍに直経２０ｍｍの穴を１ヶ処開け、図２、の磁石を埋め込み接着してのち、肌に優しい柔らかな丈夫な布に包み再び接着したのち更らに底辺に布を１枚接着して、本体ユーカス図２、の如く４ヶ処に接着する。図３、磁石円柱型上部円型厚さ５ｍｍ底辺１５ｍｍを、図５、の硬質スポンヂ長さ２２５ｍｍ巾２５ｍｍ厚さ４ｍｍに直経１５ｍｍの穴を５ヶ処開けて、磁石を埋め込み接着してのち、肌に優しい柔らかい丈夫な布に包み接着した上に更らに底辺に布を１枚接着して、図６、の如く２列に本体ユーカスに接着する、図７、磁石が常時背髄に密着させるためのバンド。図８、磁石を常時背髄に密着させるためのバンド、肩より腹部に至る市販のアジスターを利用する。図９、マジックテープ。図１０、本体ユーカスの渕取りバヤス布を使用して伸縮模様ぬいとする。
［実施例１］
【０１０７】  図１、の磁石の配置は。正座しているときも、歩行時や激しい運動時にも磁石が患部に密着出来るように、考案したものであるので。本体を生ゴムを使用することが出来ますが、生ゴムは長時間肌に装着していると、生ゴムによるアレルギーを持つ方が多く居られるとの事で、使用不可との決論に至りました。
【図面の簡単な説明】
【０１０８】
【図１】本発明の正面図
【図２】本発明の磁石
【図３】本発明の磁石
【図４】本発明の硬質スポンヂ穴を１ヶ処開ける
【図５】硬質スポンヂ穴を５ヶ処開ける
【図６】図５、を２列に接着する
【符号の説明】
【０１０９】１  本発明の正面図
２  本発明の磁石
３  本発明の磁石
４  本発明の硬質スポンヂ
５  本発明の硬質スポンヂ
６  本発明の硬質スポンヂ図５、を２列に接着する
７  磁石を背髄に密着させるためのバンド
８  磁石を背髄に密着させるためのアジャスターの先端にマジックテープを接着する。
９  マジックテープ
１０  本体ユーカスの渕取りバヤス布伸縮ぬいとする
【図１】
2005111237.tif 000003
【図２】
2005111237.tif 000004
【図３】
2005111237.tif 000005
【図４】
2005111237.tif 000006
【図５】
2005111237.tif 000007
【図６】
2005111237.tif 000008